(57)【要約】  AP（１００）において、Trigger frame生成部（１０４）は、上り信号の送信を指示するトリガー信号を生成し、前記トリガー信号は、端末ＩＤサブフィールドとリソースユニット割当情報サブフィールドとを含む端末情報フィールドを含み、無線送受信部（１０６）は、トリガー信号を送信する。Trigger frame生成部（１０４）は、トリガー信号が、１つ以上の連続するランダムアクセス用のリソースユニットを指示する第１の端末情報フィールドを有する場合は、第１の端末情報フィールドに、端末ＩＤとしては使用されない未使用ＩＤを設定する。
2018155160.tif 000002
【特許請求の範囲】
【請求項１】
上り信号の送信を指示するトリガー信号を生成し、前記トリガー信号は、端末ＩＤサブフィールドとリソースユニット割当情報サブフィールドとを含む端末情報フィールドを含み、前記トリガー信号が、１つ以上の連続するランダムアクセス用のリソースユニットを指示する第１の端末情報フィールドを有する場合は、前記第１の端末情報フィールド中の前記端末ＩＤサブフィールドに、端末ＩＤとしては使用されない未使用ＩＤを設定するトリガー信号生成部と、
前記生成されたトリガー信号を送信する送信部と、
を具備する通信装置。
【請求項２】
前記トリガー信号が、２つ以上の連続するランダムアクセス用のリソースユニットを指示する端末情報フィールドを有する場合は、前記端末情報フィールド中の前記リソースユニット割当情報サブフィールドは、前記２つ以上の連続するランダムアクセス用のリソースユニットの開始リソースユニット位置を示し、前記端末情報フィールドは、ランダムアクセス用の連続リソースユニット数を示す別のサブフィールドをさらに含む、
請求項１に記載の通信装置。
【請求項３】
前記トリガー信号が、前記第１の端末情報フィールドと、１つのリソースユニットを指示する第２の端末情報フィールドとを有する場合であって、前記第２の端末情報フィールドによって指示される前記１つのリソースユニットが、前記１つ以上の連続するランダムアクセス用のリソースユニットに含まれる場合、前記１つのリソースユニットは、前記ランダムアクセス用のリソースユニットから除外される、
請求項１に記載の通信装置。
【請求項４】
第１の未使用ＩＤと第２の未使用ＩＤとを含む複数の未使用ＩＤが存在する、
請求項１に記載の通信装置。
【請求項５】
前記トリガー信号生成部は、前記第１の端末情報フィールド中の端末ＩＤサブフィールドに、前記第１の未使用ＩＤを設定し、１つのリソースユニットを指示する第２の端末情報フィールド中の端末ＩＤサブフィールドに前記第２の未使用ＩＤを設定し、
前記第１の端末情報フィールドで指示される前記１つ以上の連続するランダムアクセス用のリソースユニットと、前記第２の端末情報フィールドで指示される前記１つのリソースユニットとが重複する場合、当該重複する１つのリソースユニットは、前記ランダムアクセス用のリソースユニットから除外される、
請求項４に記載の通信装置。
【請求項６】
前記複数の未使用ＩＤの各々には、ランダムアクセス信号を送信する端末の制約条件がそれぞれ対応付けられる、
請求項４に記載の通信装置。
【請求項７】
前記第１の未使用ＩＤは、ランダムアクセス信号を送信する端末を前記通信装置にアソシエートされた端末に限定することを示し、第２の未使用ＩＤは、ランダムアクセス信号を送信する端末を前記通信装置にアソシエートされていない端末に限定することを示す、
請求項６に記載の通信装置。
【請求項８】
前記トリガー信号生成部は、前記第１の端末情報フィールドに、前記上り信号の送信時の制約を示す情報を設定する、
請求項１に記載の通信装置。
【請求項９】
当該トリガー信号の前記第１の端末情報フィールドによって前記１つ以上の連続するランダムアクセス用のリソースユニットが指示される端末に対して、前記上り信号の送信時の制約が適用される、
請求項１に記載の通信装置。
【請求項１０】
前記トリガー信号生成部は、前記上り信号の送信時の制約を示す情報を、前記第１の端末情報フィールドに設定せずに、端末共通の情報を含める共通情報フィールドに設定する、
請求項１に記載の通信装置。
【請求項１１】
上り信号の送信を指示するトリガー信号を生成し、前記トリガー信号は、前記トリガー信号のタイプを示すトリガータイプサブフィールドを含む共通情報フィールドと、端末ＩＤサブフィールドとリソースユニット割当情報サブフィールドとを含む端末情報フィールドとを含み、前記トリガー信号が、１つ以上の連続するランダムアクセス用のリソースユニットを指示する第１の端末情報フィールドを有する場合は、前記第１の端末情報フィールド中の前記端末ＩＤサブフィールドに、端末ＩＤとしては使用されない未使用ＩＤを設定し、
前記生成されたトリガー信号を送信する、
通信方法。
【発明の詳細な説明】
【技術分野】
【０００１】
本開示は、通信装置および通信方法に関する。
【背景技術】
【０００２】
IEEE（the Institute of Electrical and Electronics Engineers） 802.11 Working GroupのTask Group axにおいて、802.11acの次期規格として、IEEE 802.11ax（以下、「11ax」と呼ぶ）の技術仕様策定が進められている。11axでは、OFDMA（Orthogonal Frequency-Division Multiple Access）ベースのランダムアクセス（RA：Random Access）の導入が規定された。【０００３】
アクセスポイント（AP：Access Point。「基地局」とも呼ばれる）は、上りOFDMA信号の送信を指示する制御信号（以下、「Trigger frame」と呼ぶ）を、当該APが収容している複数の端末（「STA（Station）」と呼ばれることもある）へ送信する。【０００４】
Trigger frameでは、OFDMAで多重する複数の端末に共通の情報を含めるCommon Info fieldと、OFDMAで多重する端末毎に固有の情報を含めるUser Info fieldとが定義される（例えば、非特許文献１、非特許文献４を参照）。【０００５】
Common Info fieldに含まれるTrigger Type subfieldでは、Trigger frameの種類（APが端末に送信させる信号種別）であるTrigger Typeを指示する（例えば、非特許文献２、非特許文献３を参照）。【０００６】
User Info fieldに含まれるAID12 subfieldでは、アソシエーション時に端末に割り当てられる一意のIDであるAssociation ID（AID）を通知する。以下では、端末に割り当てられたAIDを通知することにより、特定の端末に対して周波数リソース（RU: Resource Unit）を割り当てる方法を「Scheduled access」と呼ぶ。また、11axでは、未使用AIDの値の一つであるAID=0を設定することにより、User Info fieldのRU Allocation subfieldで指示する周波数リソース（RU）がRA用RUであることを各端末に指示することが合意されている（例えば、非特許文献１を参照）。【０００７】
さらに、11axの会合において、Trigger frame に、RA専用の新たなUser Info field（以下、「変形User Info」と呼ぶ）を導入することが新たに合意された（非特許文献５）。変形User Infoでは、１つのUser Info fieldで、１以上の連続するRA用RUを端末に指示する。
【先行技術文献】
【非特許文献】
【０００８】
【非特許文献１】IEEE 802.11-15/0132r17 “Specification Framework for TGax”
【非特許文献２】IEEE 802.11-16/0024r1 “Proposed TGax draft specification”
【非特許文献３】IEEE 802.11-16/0806r0 “HE Variant HT Control - Buffer Status Report”
【非特許文献４】IEEE 802.11-16/0617r1 “Remaining Topics in Power Control”
【非特許文献５】IEEE 802.11-16/1516r1 “CIDs for: Section 9.3.1.23 Random Access CIDs”
【非特許文献６】IEEE 802.11-16/0725r3 “CIDs for: Trigger Frame Format Comment Resolution - Type Dependent Per user information section 9.3.1.23”
【非特許文献７】IEEE 802.11-16/0938r1 “Resolution for CID 1589, 1590, 2668,and 2669 on Multi-TID Aggregation in Sub-clause 25.10.4”
【発明の概要】
【０００９】
しかしながら、Trigger frameにおける変形User Infoの適用方法については十分に検討されていない。
【００１０】
本開示の一態様は、Trigger frameにおいて適切に変形User Infoを設定することができる通信装置および通信方法を提供する。
【００１１】
本開示の一態様に係る通信装置は、上り信号の送信を指示するトリガー信号を生成し、前記トリガー信号は、端末ＩＤサブフィールドとリソースユニット割当情報サブフィールドとを含む端末情報フィールドを含み、前記トリガー信号が、１つ以上の連続するランダムアクセス用のリソースユニットを指示する第１の端末情報フィールドを有する場合は、前記第１の端末情報フィールド中の前記端末ＩＤサブフィールドに、端末ＩＤとしては使用されない未使用ＩＤを設定するトリガー信号生成部と、前記生成されたトリガー信号を送信する送信部と、を具備する。
【００１２】
なお、これらの包括的または具体的な態様は、システム、装置、方法、集積回路、コンピュータプログラムまたは記録媒体で実現されてもよく、システム、装置、方法、集積回路、コンピュータプログラムおよび記録媒体の任意な組み合わせで実現されてもよい。
【００１３】
本開示の一態様によれば、Trigger frameにおいて適切に変形User Infoを設定することができる。
【００１４】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１５】
【図１】Trigger frameのフォーマットを示す図
【図２】Trigger frameのCommon Info fieldのフォーマットを示す図
【図３】Trigger frameのTrigger Typeを示す図
【図４】Trigger frameの通常User Info fieldのフォーマットを示す図
【図５】Trigger Dependent User Info fieldのフォーマットを示す図
【図６Ａ】Trigger frameの変形User Info fieldのフォーマットを示す図
【図６Ｂ】変形User Info fieldによって指示されるRA用RUの一例を示す図
【図７】実施の形態１に係るAPの一部構成例を示すブロック図
【図８】実施の形態１に係るAPの構成例を示すブロック図
【図９】実施の形態１に係る端末の構成を示すブロック図
【図１０】実施の形態１に係る変形User Infoで指定されるRA用RUの一例（具体例１−１）を示す図
【図１１】実施の形態１に係る変形User Infoで指示するRA用RUの一例（具体例１−２）を示す図
【図１２】実施の形態１に係る変形User Infoで指示するRA用RUの一例（具体例１−２）を示す図
【図１３】実施の形態１に係るUser Infoで指示するRA用RUの一例（具体例１−２）を示す図
【図１４】実施の形態１に係るUser Infoで指示するRA用RUの一例（具体例２）を示す図
【図１５】実施の形態１に係るUser Infoで指示するRA用RUの一例（具体例２）を示す図
【図１６】実施の形態１に係るUser Infoで指示するRA用RUの一例（具体例２１）を示す図
【図１７】実施の形態１に係る変形User Infoで指示するRA用RUの一例（具体例２−２）を示す図
【図１８】実施の形態１に係る変形User Infoで指示するRA用RUの一例（具体例２−２）を示す図
【図１９】実施の形態２に係るAPの構成例を示すブロック図
【図２０】実施の形態２に係る端末の構成例を示すブロック図
【図２１】実施の形態２に係るUser Infoで指示するRA用RUの一例（具体例１）を示す図
【図２２】実施の形態２に係るUser Infoで指示するRA用RUの一例（具体例２）を示す図
【図２３】実施の形態２に係るUser Infoで指示するRA用RUの一例（具体例３）を示す図
【図２４】他の実施の形態に係るUser Infoで指示するRA用RUの一例を示す図
【図２５】他の実施の形態に係るTrigger frameの構成例を示す図
【発明を実施するための形態】
【００１６】
以下、本開示の各実施の形態について図面を参照して詳細に説明する。なお、各実施の形態において、同一の構成要素には同一の符号を付し、その説明は重複するので省略する。
【００１７】
（実施の形態１）
［Trigger frame］
図１は、11axで検討されているTrigger frameのフォーマットの一例を示す図である。Trigger frameでは、OFDMAで多重する複数の端末に共通の情報を含めるCommon Info fieldと、OFDMAで多重する端末毎の固有情報を含めるUser Info fieldが定義される（例えば、非特許文献１を参照）。
【００１８】
図２は、Trigger frameのCommon Info fieldのフォーマットの一例を示す図である（例えば、非特許文献１を参照）。Trigger Type subfieldでは、Trigger Typeを指示する。Trigger Typeとして図３に示すものが定義されている（例えば、非特許文献２を参照）。また、図３の定義に加えて、端末の送信バッファ情報の報告を指示するTrigger Type（以下、Buffer Status Report Poll （BSRP）と呼ぶ）を追加することが検討されている（例えば、非特許文献３を参照）。また、Trigger Dependent Common Info subfieldには、Trigger typeに適した（依存した）端末共通情報を含めることができる。
【００１９】
図４は、Trigger frameのUser Info fieldのフォーマットの一例を示す図である（例えば、非特許文献１、非特許文献４を参照）。図４は、非特許文献１では未定であったTarget RSSI subfieldのサイズを、非特許文献４の提案に従って7bitsに反映したフォーマットである。AID12 subfieldではAIDを通知する。AID=0を設定することで、User Info fieldで指示したRUがRA用RUであることを指示する（例えば、非特許文献１を参照）。また、Trigger Dependent User Info subfieldには、Trigger typeに適した（依存した）端末固有情報を含めることができる。
【００２０】
以下の説明では、1RU単位で端末の無線リソースを指示するUser Info fieldを、変形User Infoと区別するために「通常User Info」と呼ぶ。また、通常User Infoと変形User Infoとを併せて「User Info」と呼ぶこともある。
【００２１】
また、11axでは、Trigger Typeとして、上り信号の形式を限定しないBasic Triggerが規定されている（例えば、図３を参照）。Basic Triggerでは、Scheduled accessによる応答、および、ランダムアクセスによる応答が可能である。Trigger TypeがBasic Triggerである場合、User Info fieldのTrigger Dependent User Info subfieldには図５に示す上り信号の送信時の制約を示す情報（制約情報）が含まれる（例えば、非特許文献６、非特許文献７を参照）。
【００２２】
具体的には、図５に示すように、Type dependent Per User Info subfieldには、APが処理可能なMPDU（MAC protocol data unit）の最小間隔を示すパラメータを示す2bitsの「MPDU MU Spacing Factor」、MPDUに含める最大TID数を示すパラメータを示す3bitsの「TID Aggregation Limit」、APが推奨するAccess Category（AC、送信データの種類）を指示するか否かのフラグを示す1bitの「AC Preference Level」、および、APが推奨するACを示すパラメータを示す2bitsの「Preferred AC」が含まれる。これらは、Trigger frameに対する上り信号として、複数のMPDUを連結したA-MPDU（Aggregate MAC protocol data unit）を用いるためのパラメータ、または、送信するACを指示するためのパラメータである。
【００２３】
［変形User Info］
図６Ａは、変形User Infoのフォーマットの一例を示す図である。
【００２４】
通常User Infoを用いたTrigger frameでは、１つのUser Info fieldで任意の１つのRUを指定する。つまり、通常User Infoを用いたTrigger frameでは、複数のRA用RUを指示する際には、複数のUser Info fieldを用いる。
【００２５】
これに対して、変形User Info は、指示するRUの配置を一つの連続帯域に限定する。こうすることで、１つの変形User Info fieldを用いて複数のRUを指定することができる。例えば、図６Ａに示す変形User InfoのRU Allocation subfieldでは、連続帯域であるRA用RUの開始RUの位置、および、RUサイズを指示する（図６Ｂを参照）。また、変形User Infoでは、RA用RUの送信時の空間多重ストリーム数を固定値‘１’（つまり、MIMO適用無し）に限定することにより、図６Ａに示すSS Allocation subfieldは、空間多重ストリーム数を指示する代わりに、RU Allocation subfieldで通知したRA用RUを開始RUとしたRA用RUの数（連続RU数）を指示する（図６Ｂを参照）。なお、各RA用RUのRUサイズはRU Allocation subfieldで通知するRUサイズとする。また、図６Ａに示す変形User InfoのCoding Type、MCS、DCM、Target RSSI subfieldに設定される情報は、RU Allocation及びSS Allocationによって指示される複数のRA用RUで共通とする。
【００２６】
また、変形User Infoでは、図６Ａに示すように、Trigger Dependent User Info subfieldが削除される。また、変形User Infoが適用されるTrigger frameでは、Trigger Dependent Common Info subfieldが削除される。これによりTrigger frameサイズを削減する。
【００２７】
このように、変形User Infoは、通常User Infoで指示するパラメータの一部を複数のRU間（複数の端末間）で共通化することで、１つのUser info fieldで１つ以上の連続したRA用RUを指示し、Trigger frameサイズを削減することができる。
【００２８】
以上、変形User Infoについて説明した。
【００２９】
本開示では、上述したTrigger frameにおける変形User Infoの適用方法について説明する。
【００３０】
例えば、変形User Infoを適用するために、図３のTrigger Type subfieldのReservedにRA送信を指示する新たなTrigger Type（以下、「RA trigger」と呼ぶ）を追加することが考えられる。Trigger TypeがRA triggerの場合に変形User Infoを適用することで、Trigger frameサイズを削減できる。さらに、Trigger TypeがRA triggerの場合に、Trigger frameにおいてTrigger Dependent Common Info subfieldおよびTrigger Dependent User Info subfieldを削除することでTrigger frameサイズが削減できる。
【００３１】
しかしながら、上述したRA Triggerによる変形User Infoの指示は、Trigger typeのReserved領域を使用（消費）するため、将来の規格拡張の余地が減る。
【００３２】
また、RA Triggerは、変形User Infoによる指示に限定されるため、同一パラメータで一つの連続RU群しか指示できない。そのため、性能劣化が予想されるRU（例えばDC付近または干渉が観測されたRU等）がシステム帯域内に一部存在する場合には、変形User Infoによって指示された全てのRUに対して誤り耐性が強いロバストなパラメータ（例えば、MCS）を設定する必要があり、スループットが低下してしまう。
【００３３】
そこで、本開示では、Trigger Typeの将来拡張性を維持しつつ(つまり、RA Trigger等を新規追加することなく）、変形User Infoを適用して、複数のRA用RUを低サイズのTrigger frameで指示する方法、及び、変形User Infoを適用する場合でも、RU個別のパラメータを指示する方法について説明する。
【００３４】
［無線通信システムの構成］
本実施の形態に係る無線通信システムは、AP（無線送信装置）１００および端末（無線受信装置）２００を備える。AP１００が端末２００に対して、RA送信を指示するTrigger frameを送信し、端末２００がTrigger frameを受信し、Trigger frameで指示されたリソースを用いてRAをAP１００へ送信する。
【００３５】
図７は、本実施の形態に係るAP１００の一部構成を示すブロック図である。図７に示すAP１００において、Trigger frame生成部１０４は、上り信号の送信を指示するTrigger frame（トリガー信号）を生成する。無線送受信部１０６は、Trigger frameを送信する。また、Trigger frame生成部１０４は、Trigger frameが、１つ以上の連続するRA用RUを指示する変形User Info field（第１の端末情報フィールド）を有する場合は、変形User Info field中のAID12 subfield（端末ＩＤサブフィールド）に、AID（端末ＩＤ）としては使用されない未使用AIDを設定する。
【００３６】
［APの構成］
図８は、本実施の形態に係るAP１００の構成を示すブロック図である。AP１００は、端末２００に対して上り信号（例えば、RA信号）の送信を指示するTrigger frame（トリガー信号）を生成し、Trigger frameを端末２００へ送信する。
【００３７】
図８において、AP１００は、RAリソース制御部１０１と、User Info制御部１０２と、AID制御部１０３と、Trigger frame生成部１０４と、送信信号変調部１０５と、無線送受信部１０６と、アンテナ１０７と、受信信号復調部１０８と、品質推定部１０９と、を有する。無線送受信部１０６は、送信部および受信部を含む。また、RAリソース制御部１０１、User Info制御部１０２、AID制御部１０３、Trigger frame生成部１０４および品質推定部１０９は、アクセス制御（MAC：Media Access Control）部を構成する。
【００３８】
RAリソース制御部１０１は、品質推定部１０９から出力された所定サイズのRU毎の受信品質に基づいて、システム帯域内でRA用RUを割り当てる帯域を決定する。RAリソース制御部１０１は、RA用RUを割り当てる帯域を示すRA用リソース情報をUser Info制御部１０２およびTrigger frame生成部１０４に出力する。
【００３９】
RA用リソース情報には、例えば、システム帯域内で割り当てるRA用RU、および、RA信号を生成するための制御情報（User Info fieldに含まれるCoding Type、MCS、DCM、SS Allocation、Target RSSI（目標RSSI））等が含まれる。例えば、RAリソース制御部１０１は、システム帯域内で他のサービスが利用する帯域と重複するRU、復調時ベースバンドのDC周波数に対応するRUまたは干渉が比較的強いRU等の受信品質が悪いRUに対して、誤り耐性が強いMCS（例えば、BPSK）または比較的高い目標RSSIレベル（例えば、-60dBm）を設定してもよい。また、RAリソース制御部１０１は、上記以外の干渉が比較的弱いと予想されるRUに対して、伝送効率がより高いMCS（例えば、16QAM）または他の端末への与干渉がより小さい目標RSSIレベル（例えば‐70dBm）を設定してもよい。
【００４０】
User Info制御部１０２は、RAリソース制御部１０１から出力されるRA用リソース情報に基づいて、Trigger frameを構成するUser Info fieldを制御し、制御結果をTrigger frame生成部１０４に出力する。
【００４１】
具体的には、User Info制御部１０２は、適用するUser Info fieldフォーマット（変形User Infoまたは通常User Info）と、適用するUser Info fieldで指示するRA用RUを決定する。例えば、User Info制御部１０２は、変形User Infoを適用する場合、そのUser Info fieldのRU Allocation及びSS Allocationにおいて複数のRA用RUを指示し、当該複数のRA用RUに対して共通のパラメータを指示することを決定する。一方、User Info制御部１０２は、通常User Infoを適用する場合、そのUser Info fieldにおいて１つのRA用RUを指示し、当該RA用RUに関する個別のパラメータを指示することを決定する。
【００４２】
AID制御部１０３は、User Info fieldのフォーマット（変形User Infoまたは通常User Info）を指示するためのAID（Trigger frameのAID12 subfield情報）を決定する。AID制御部１０３は、決定したAIDを示すAID情報をTrigger frame生成部１０４に出力する。
【００４３】
例えば、AID制御部１０３は、RA用RUを指示するためのAIDとして、Scheduled access用の端末固有のAIDに使用されていない未使用のAID（11axの仕様では、AID=0，2008〜4094の何れか）を設定してもよい。なお、User Info fieldのフォーマットを指示するAIDの定義の詳細については後述する。
【００４４】
Trigger frame生成部（トリガー信号生成部）１０４は、端末２００に対して、RA送信（例えば、OFDMAベースのRA送信）を指示するTrigger frame（例えば、図１、図２、図４、図６Ａを参照）を生成する。具体的には、Trigger frame生成部１０４は、User Info制御部１０２から出力される情報に基づいて、RAリソース制御部１０１から出力されるRA用リソース情報に示される各パラメータをUser Info fieldの各subfieldに設定する。
【００４５】
例えば、Trigger frame生成部１０４は、変形User Infoが適用される場合、RAリソース制御部１０１から出力されるRA用リソース情報（割当RA用RU）に基づいて、RU Allocation subfieldに連続帯域であるRA用RUの開始RUの位置およびRUサイズを設定し、SS allocation subfieldにRA用RUの連続RU数を設定する。一方、Trigger frame生成部１０４は、通常User Infoが適用される場合、RAリソース制御部１０１から出力されるRA用リソース情報（割当RA用RU）に基づいて、RU Allocation subfieldに１つのRA用RUの開始位置およびRUサイズを設定する。
【００４６】
また、Trigger frame生成部１０４は、AID制御部１０３から出力された情報およびUser Info制御部１０２から出力された情報に基づいて、User Info fieldのフォーマットに対応するAIDをTrigger frameのAID12 subfieldに設定する。
【００４７】
そして、Trigger frame生成部１０４は、生成したTrigger frame（トリガー信号）を送信信号変調部１０５に出力する。
【００４８】
送信信号変調部１０５は、Trigger frame生成部１０４から出力されたTrigger frameに対して符号化・変調処理を行う。そして、送信信号変調部１０５は、変調後の信号に対して、受信側（端末２００）での周波数同期、タイミング同期に用いるパイロット信号、チャネル推定用信号等の制御信号（プリアンブルとも呼ばれる）を付加し、無線フレーム（送信信号）を生成し、無線送受信部１０６に出力する。
【００４９】
無線送受信部１０６は、送信信号変調部１０５から出力された無線フレーム（送信信号）に対してD/A変換、キャリア周波数へのアップコンバート等の所定の無線送信処理を行い、無線送信処理後の信号をアンテナ１０７を介して端末２００に送信する。また、無線送受信部１０６は、端末２００から送信された信号を、アンテナ１０７を介して受信し、受信した信号にベースバンドへのダウンコンバート、A/D変換等の所定の無線受信処理を行い、無線受信処理後の信号を受信信号復調部１０８に出力する。
【００５０】
受信信号復調部１０８は、無線送受信部１０６から出力された信号に対して自己相関処理等を行うことにより無線フレームを抽出し、品質推定部１０９に出力する。
【００５１】
品質推定部１０９は、受信信号復調部１０８から出力された無線フレームに含まれるパイロット信号を用いて所定サイズのRU毎に受信品質を推定し、推定結果をRAリソース制御部１０１に出力する。
【００５２】
［端末の構成］
図９は、本実施の形態に係る端末２００の構成を示すブロック図である。端末２００は、RA送信を指示するTrigger frameをAP１００から受信し、Trigger frameで指示されたRA用RUからランダムに１つのRUを選択し、AP１００にRA信号を送信する。
【００５３】
図９において、端末２００は、アンテナ２０１と、無線送受信部２０２と、受信信号復調部２０３と、Trigger frame復号部２０４と、AID制御部２０５と、RAリソース決定部２０６と、RA生成部２０７と、送信信号変調部２０８と、を有する。無線送受信部２０２は、送信部および受信部を含む。また、AID制御部２０５、RAリソース決定部２０６およびRA生成部２０７は、アクセス制御部（MAC）を構成する。
【００５４】
無線送受信部２０２は、AP１００から送信された、RA送信を指示するTrigger frameを、アンテナ２０１を介して受信し、受信した信号にベースバンドへのダウンコンバート、A/D変換等の所定の無線受信処理を行い、無線受信処理後の信号を受信信号復調部２０３に出力する。また、無線送受信部２０２は、後述する送信信号変調部２０８から出力された信号に対してD/A変換、キャリア周波数へのアップコンバート等の所定の無線送信処理を行い、無線送信処理後の信号をアンテナ２０１を介してAP１００に送信する。
【００５５】
受信信号復調部２０３は、無線送受信部２０２から出力された信号に対して自己相関処理等を行うことにより無線フレーム（Trigger frame）を抽出し、Trigger frame復号部２０４に出力する。
【００５６】
Trigger frame復号部２０４は、受信信号復調部２０３から出力されたTrigger frameに含まれるUser Info fieldのフォーマットを識別し、当該Trigger frameを復号し、復号したTrigger frameをRAリソース決定部２０６へ出力する。
【００５７】
AID制御部２０５は、AP１００のAID制御部１０３と同様の動作をする。具体的には、AID制御部２０５は、User Info fieldのフォーマット（変形User Infoまたは通常User Info）を指示するためのAID（Trigger frameのAID12 subfield情報）を決定する。AID制御部２０５は、決定したAIDを示すAID情報をRAリソース決定部２０６へ出力する。なお、User Info fieldのフォーマットを指示するAIDの定義の詳細については後述する。
【００５８】
RAリソース決定部２０６は、AID制御部２０５から出力されるAID情報、および、Trigger frame復号部２０４から出力されたTrigger frameの情報に基づいて、RA用RUおよびRA信号を生成するための制御情報を決定する。RAリソース決定部２０６は、決定したRA用RUおよびRA信号を生成するための制御情報をRA生成部２０７へ出力する。
【００５９】
具体的には、RAリソース決定部２０６は、AID情報に基づいて、Trigger frame復号部２０４から出力されたTrigger frameのAID12 subfieldに含まれるAIDに対応するUser Info fieldのフォーマット（変形User Infoまたは通常User Info）を特定する。
【００６０】
そして、RAリソース決定部２０６は、User Info fieldのフォーマットが変形User Infoの場合、RU Allocation subfieldからRA用RUの開始位置およびRUサイズを特定し、SS Allocation subfieldからRA用RUの数（連続RU数）を特定し、変形User Info fieldの各subfieldで通知された他のパラメータを、複数のRA用RUに対して共通に適用し、複数のRA用RUの中の１つをランダムに選択し、RA用RUを決定する。
【００６１】
また、RAリソース決定部２０６は、User Info fieldのフォーマットが通常User Infoの場合、RU Allocation subfieldから１つのRA用RUの開始位置およびRUサイズを特定し、通常User Info fieldの各subfield（SS allocation subfieldを含む）で通知された他のパラメータを１つのRA用RUに対して個別に適用する。
【００６２】
RA生成部２０７は、RAリソース決定部２０６から出力されるRA用RUおよびRA信号を生成するための制御情報に基づいて、端末IDおよび端末２００の送信情報（データまたは制御情報等）を含むRA信号を生成し、送信信号変調部２０８へ出力する。
【００６３】
送信信号変調部２０８は、RA信号に対して符号化・変調を行う。そして、送信信号変調部２０８は、変調後の信号に対して、AP１００での周波数同期、タイミング同期に用いるパイロット信号、チャネル推定用信号等の制御信号（プリアンブル）を付加し、無線フレーム（送信信号）を生成し、無線送受信部２０２に出力する。なお、RA信号は、RAリソース決定部２０６で決定した情報に示されるRA用RUに周波数マッピングされる。
【００６４】
［AP１００および端末２００の動作］
次に、本実施の形態のAP１００および端末２００の動作について詳細に説明する。
【００６５】
AP１００（Trigger frame生成部１０４）は、Trigger frameにおいて、１つ以上の連続するRA用RUを指示する変形User InfoのAID12 subfield（端末IDサブフィールド）に未使用AIDを設定することにより、当該未使用AIDを含むUser Info fieldが変形User Infoであることを端末２００に指示する。
【００６６】
ここで、未使用AIDとは、Scheduled access用の端末固有のAID（つまり、スケジュールされた端末２００に対して割り当てられるAID）として使用されていないAID（11axの現仕様では0と2008〜4094のいずれか）を示す。
【００６７】
このように、未使用AIDを用いて変形User Infoの適用を指示することにより、Trigger Typeの将来拡張性を維持しつつ（つまり、Trigger TypeとしてRA Triggerを新規追加することなく）、当該変形User Infoを用いて複数のRA用RUを低サイズのTrigger frameで指示することができる。
【００６８】
以下、未使用AIDを用いてUser Info fieldのフォーマットを指示する方法の具体例１，２について説明する。
【００６９】
＜具体例１＞
具体例１では、RA用RUを指示する場合に設定される未使用AIDは１種類である。
【００７０】
すなわち、AID制御部１０３，２０５は、変形User Infoを指示するための１つの未使用AIDを決定する。例えば、AID制御部１０３，２０５は、変形User IDを指示するための未使用AIDとしてAID = 0を決定する。つまり、Trigger frame生成部１０４は、AID12 subfieldでAID = 0（未使用AID）を設定することにより、当該AID12 subfieldを含むUser Info fieldが変形User Infoであることを端末２００へ指示する。
【００７１】
また、具体例１では、通常User InfoによるRA用RUの指示が排除される。つまり、具体例１では、全てのRA用RUは、変形User Infoによって指示される。
【００７２】
例えば、Trigger frame生成部１０４は、変形User Infoを複数設定することで、各変形User Info毎のパラメータ設定が可能となる。つまり、具体例１では、変形User Infoを含む低サイズのTrigger frameを用いることで、通常User InfoによるRA用RUの割当（つまり、RU個別の設定）に近い動作が可能となる。なお、具体例１では、RA送信は、空間多重数=1（MIMO無し）に限定される。
【００７３】
以下、具体例１における、１つの未使用AID（AID = 0）を用いて変形User Infoを指示する具体例１−１，１−２について説明する。
【００７４】
＜具体例１−１＞
具体例１−１では、AP１００のTrigger frame生成部１０４は、１つのTrigger frameで１つの変形User Infoを設定する。
【００７５】
詳細には、図１０の一例に示すように、Trigger frame生成部１０４は、１つの変形User InfoのAID12 subfieldに未使用AIDであるAID=0を設定することにより、このAID12 subfieldを含むUser Info fieldが変形User Infoであることを端末２００へ指示する。
【００７６】
つまり、Trigger frame生成部１０４は、図１０に示すRU Allocation subfieldに複数のRA用RUの開始RUの位置およびRUサイズを設定し、SS allocation subfieldに、空間多重ストリーム数ではなく、RA用RUの連続数を設定する。例えば、SS allocation subfieldで採りうる値が0〜63（6bit）の場合、SS allocation subfieldで通知可能なRA用RUの連続数はそれぞれ1〜64となる。これにより、AP１００は、端末２００に対して、１つの変形User Infoによって、１個から６４個までの連続するRUを指定することが可能になる。図１０に示す一例では、１つの変形User Infoによって、７個の連続するRA用RU（連続RU＝７）が指定されている。
【００７７】
このように、具体例１−１では、１つの変形User Infoによって全てのRA用RUを指示するので、Trigger frameサイズを低減することができる。
【００７８】
＜具体例１−２＞
具体例１−２では、AP１００のTrigger frame生成部１０４は、１つのTrigger frameで複数の変形User Infoを設定する。
【００７９】
詳細には、図１１の一例に示すように、Trigger frame生成部１０４は、１つのTrigger frameに２つの変形User Infoを含める。また、Trigger frame生成部１０４は、具体例１−１と同様、各変形User InfoのAID12 subfieldに未使用AIDであるAID=0を設定することにより、このAID12 subfieldを含む各User Info fieldが変形User Infoであることを端末２００へ指示する。
【００８０】
図１１では、AP１００は、１つ目の変形User Infoで７個の連続するRA用RUを指示し、それらのRUに対してMCS＃1（例えば16QAM）を指示する。また、AP１００は、２つ目の変形User Infoで１つのRA用RUを指示し、そのRUに対してMCS＃2（例えばQPSK）を指示する。
【００８１】
ここで、図１１に示すように、複数の変形User Infoによってそれぞれ指示される連続RA用RUが重複する場合（図１１では、７個のRA用RUのうち中央のRU）、端末２００のRAリソース決定部２０６は、重複するRUでは、複数の変形User Infoのうち、連続RU数が小さいRUを通知する変形User Infoの指示を優先する。つまり、図１１では、SS Allocationで１つのRA用RU（連続RU=1）を通知する変形User Infoの指示を優先し、中央のRUでは、MCS#2が適用される。
【００８２】
これにより、１つのTrigger frameによって指示される複数のRA用RU間で複数の異なるパラメータを使い分けることができる。また、変形User Infoで指示する連続RU数=1とすることで、単独のRU毎のパラメータを指示することも可能となる。例えば、図１１では、７個の連続するRA用RUのうち、中央のRUに対して、他のRUと異なるパラメータ（MCS）が設定されている。すなわち、図１１では、７個の連続するRA用RUのうち、中央のRU以外の６個の非連続帯域を構成するRUに対して同一パラメータ（MCS）が設定されている。
【００８３】
例えば、AP１００は、１つのTrigger frameに複数の変形User Infoを設定することにより、図１１に示すような複数の連続するRA用RUのうち、性能劣化が予想される一部のRU（例えばDC付近のRU）に対して、ロバストなMCS（例えば、QPSK）を設定することが可能となる。
【００８４】
このように、具体例１−２では、全てのRA用RUにおいて空間多重数=1（MIMO無し）に限定される点以外では、RA用RA毎のパラメータ（MCSまたは目標RSSI等）の指示、つまり、通常User Infoと同様な指示が可能となる。
【００８５】
よって、具体例１−２によれば、変形User Infoを適用する場合でも、RU個別のパラメータを指示することができるので、各RUで予想される性能に応じたパラメータを適用でき、スループットを向上させることができる。
【００８６】
また、具体例１−２によれば、複数の変形User Infoによって指示したRUが重複する場合に優先するRUに関するルールを定義することで、AP１００は、予想されるRUの性能に応じたパラメータを、少ないTrigger frameサイズ（つまり、少ないUser Info fieldの数）で指示することができる。
【００８７】
なお、１つのTrigger frameに含める複数の変形User InfoによるRA用RUの割当方法は、図１１に示す例に限定されない。
【００８８】
例えば、図１２に示すように、AP１００は、１つのTrigger frameに含める２つの変形User Infoで互いに重複しないRUをそれぞれ指示してもよい。図１２では、AP１００は、１つ目の変形User Infoで４個のRA用RUを指示し、それらのRUに対してMCS＃1（例えば16QAM）を指示する。また、AP１００は、２つ目の変形User Infoで、１つ目の変形User Infoによって指示される４個のRA用RUに隣接する領域（つまり、重複しない領域）の３個のRA用RUを指示し、それらのRUに対してMCS＃2（例えばQPSK）を指示する。
【００８９】
また、図１３に示すように、AP１００は、１つのTrigger frameに含める２つの変形User Infoで互いに離れた領域のRUをそれぞれ指示してもよい。図１３では、AP１００は、１つ目の変形User Infoで４個のRA用RUを指示し、２つ目の変形User Infoで、１つ目の変形User Infoによって指示される４個のRA用RAから離れた領域（つまり、重複しない）の３個のRA用RUを指示する。
【００９０】
なお、図１３では、何れの変形User Infoで通知されるRUに対してもMCS＃1を適用しているが、変形User Info毎に異なるパラメータが指定されてもよい。つまり、複数の変形User Infoで共通のMCS等のパラメータを設定してもよいし、図１２と同様に変形User Info毎に異なるパラメータを設定してもよい。また、図１３に示すように、複数の変形User Infoによってそれぞれ指定された、離れた２つの領域の間には、Scheduled access用RU、または未指定の空きRU（非割当RU）等の任意のRUが存在してもよい。なお、複数の変形User Infoで通知される全てのRUに対して共通のCoding Type、MCSおよびDCMパラメータを設定すると、RU毎の伝送特性等に応じた柔軟な設定がしにくくなる。しかし、OFDMAベースのランダムアクセスでは、端末が送信権を得た場合、全てのランダムアクセス用RUから一つのRUをランダムに選択する。そのため、複数の変形User Infoで通知されるRUにおいて伝送可能なデータ量が互いに異なると、端末がRUを選択した後に送信フレームのデータ量を決定する必要があり、送信フレーム生成処理が複雑になる。よって、複数の変形User Infoで共通のパラメータを用いることで、全てのランダムアクセス用RUにおける伝送可能なデータ量が一定になるため、端末における送信フレーム生成処理が簡略化できる。
【００９１】
また、図１１〜図１３では、１つのTrigger frameに２つの変形User Infoが含まれる場合について説明したが、１つのTrigger frameに含まれる変形User Infoは３個以上でもよい。
【００９２】
＜具体例２＞
具体例２では、RA用RUを指示する場合に設定される未使用AIDは複数種類ある。
【００９３】
すなわち、AID制御部１０３，２０５は、RA用RUを指示するUser Info（変形User Info又は通常User Info）を指示するための複数の未使用AIDを決定する。
【００９４】
AID制御部１０３，２０５は、RA用RUを指示するUser Infoの中で、通常User Infoに対応する未使用AIDと、変形User Infoに対応する未使用AIDとを区別して決定する。例えば、AID制御部１０３，２０５は、通常User Infoを指示するための未使用AIDとしてAID=0を決定し、変形User Infoを指示するための未使用AIDとしてAID=2048を決定する。
【００９５】
つまり、Trigger frame生成部１０４は、AID12 subfieldにAID = 0を設定することにより、当該AID12 subfieldを含むUser Info fieldが通常User Infoであることを端末２００へ指示し、１つのRA用RUを指示する。また、Trigger frame生成部１０４は、AID12 subfieldにAID=2048（AID＝0ではない未使用AID）を設定することにより、当該AID12 subfieldを含むUser Info fieldが変形User Infoであることを端末２００へ指示し、複数のRA用RU（連続するRA用RU）を指示する。
【００９６】
ここで、AID=2048は12bitsのAID12 subfieldにおいて、MSB（最上位ビット）のみが１となり、他の下位11ビットが０となる値に相当する。よって、上述したように、AID=0または2048を用いることで、端末２００は、下位11ビットが全て０の場合にRA用User Infoであると判断し、MSBのみで変形User Infoであるか通常User Infoであるかを判断することができる。これにより、端末２００の処理を簡易化できる。
【００９７】
図１４に示す一例では、AP１００のTrigger frame生成部１０４は、複数の未使用AID（AID=0,2048）のうち、通常User InfoのAID12 subfieldにAID=0を設定し、変形User InfoのAID12 subfieldにAID=2048を設定する。また、図１４では、AP１００は、２つの変形User Infoによって３個のRA用RU（連続RU=3）をそれぞれ指示し、それらのRUに対してMCS＃1（例えば16QAM）を指示する。また、AP１００は、１つの通常User Infoによって１つのRA用RUを指示し、そのRUに対してMCS＃2（例えばQPSK）を指示する。
【００９８】
これにより、１つのTrigger frameによって指示される複数のRA用RU間で複数の異なるパラメータを使い分けることができる。また、変形User Infoで指示する連続RU数=1とすること、または、通常User Infoを設定することで、単独のRU毎のパラメータを指示することも可能となる。例えば、図１４では、７個の連続するRA用RUのうち、中央のRUに対して、他のRUと異なるパラメータ（MCS）が設定されている。すなわち、図１４では、７個の連続するRA用RUのうち、中央のRU以外の６個の非連続帯域を構成するRUに対して同一パラメータ（MCS）が設定されている。
【００９９】
例えば、AP１００は、性能劣化が予想される一部のRU（例えば中央のRU）に対して、通常User Infoまたは連続RU数＝１が設定された変形User Infoによって誤り耐性が強いロバストなMCSを個別に設定することが可能となる。
【０１００】
このように、具体例２によれば、通常User Infoと変形User Infoとを組み合わせることで、各RUで予想される性能に応じたパラメータを適用でき、スループットを向上させることができる。また、具体例２によれば、AP１００は、具体例１と同様、変形User Infoを用いて連続するRA用RUを指示することで、Trigger frameサイズを低減することができる。また、具体例２では、通常User Infoを用いることにより、SS allocation subfieldにおいて空間多重ストリーム数の設定（つまり、MIMOの適用）も可能となる。
【０１０１】
なお、図１４では、通常User Infoに対してAID=0が設定され、変形User Infoに対してAID=2048が設定される場合について説明したが、通常User Infoおよび変形User Infoに設定される未使用AIDは、0，2048に限らず、他の値が設定されてもよい。
【０１０２】
また、具体例２では、１つのTrigger frameによって指示されるRA用RUは、図１４に示すような連続するRUに限定されず、例えば、図１５に示すように、互いに離れた非連続領域のRUが指示されてもよい。
【０１０３】
以下、具体例２において未使用IDを用いて、User Info fieldが通常User Infoまたは変形User Infoであることを指示する方法の具体例２−１，２−２について説明する。
【０１０４】
＜具体例２−１＞
具体例２−１では、AP１００のTrigger frame生成部１０４は、通常User Info（AID=0）で指示したRA用RUと、変形User Info （AID≠0の未使用AID）で指示した連続RA用RUを端末２００へ指示する。
【０１０５】
詳細には、図１６の一例に示すように、Trigger frame生成部１０４は、変形User Info（AID=2048）によって７個のRA用RU（連続RU＝７）を指示し、それらのRUに対してMCS＃1（例えば16QAM）を指示する。また、Trigger frame生成部１０４は、通常User Info（AID=0）によって１つのRA用RUを指示し、そのRUに対してMCS＃2（例えばQPSK）を指示する。
【０１０６】
ここで、図１６に示すように、通常User Infoで指示される１つのRA用RUと、変形User Infoで指示される連続RA用RUとが重複する場合（図１６では、７個のRA用RUのうち中央のRU）、端末２００のRAリソース決定部２０６は、重複するRUでは、通常User Infoの指示を優先する。つまり、図１６では、中央のRUに対して、通常User Infoの指示を優先し、MCS#2が適用される。
【０１０７】
これにより、具体例２−１では、具体例２（図１４）と同様、１つのTrigger frameによって指示されるRA用RU間で複数パラメータを使い分けることができる。例えば、図１６に示すように、AP１００は、性能劣化が予想される一部のRU（例えば中央のRU）に対して、通常User Infoによって誤り耐性が強いロバストなMCSを個別に設定してもよい。
【０１０８】
また、具体例２−１によれば、通常User Infoおよび変形User Infoによってそれぞれ指示したRUが重複する場合に優先するRUに関するルールを定義することで、AP１００は、予想されるRUの性能に応じたパラメータを、少ないTrigger frameサイズ（つまり、少ないUser Info fieldの数）で指示することができる。例えば、具体例２−１（図１６）では、具体例２（図１４）と同一のRA用RU設定を、低サイズ（より少ないUser Info fieldの数）のTrigger frameで指示することができる。
【０１０９】
＜具体例２−２＞
具体例２−２では、複数種類の未使用AIDの各々に、RA信号を送信する端末２００の制約条件（端末制約条件）がそれぞれ対応付けられる。すなわち、AP１００は、複数の未使用AIDを用いて、RA信号を送信する端末２００の端末制約条件を指示する。
【０１１０】
図１７の一例に示すように、AID制御部１０３，２０５は、RA用RUを指示する変形User Infoに対応する未使用AIDとしてAID=2008と2009を決定する。また、AID制御部１０３，２０５は、AID=2008および2009に対して異なる端末制約条件を対応付ける。そして、AP１００のTrigger frame生成部１０４は、AID12 subfieldにAID=2008または2009を設定することにより、当該AID12 subfieldを含むUser Info fieldが双方とも変形User Infoであることを端末２００へ指示する。
【０１１１】
また、図１７では、AP１００は、変形User Infoを示す未使用AID毎の異なる端末制約条件として端末２００の接続条件を指示する。具体的には、図１７に示すように、AID=2008によって指示されるRA用RUは、AP１００と接続済の端末２００（Associated STA）に限定したRA用RUとする。また、AID=2009によって指示されるRA用RUは、AP１００と未接続の端末２００（Unassociated STA）に限定したRA用RUとする。
【０１１２】
これにより、各RUでRA信号を送信する端末２００を、Associated STAとUnassociated STAとに分けることができる。これにより、AP１００は、端末２００の接続条件毎に適切なパラメータを設定することができる。
【０１１３】
例えば、AP１００は、Associated STAに関する情報（端末２００の通信状況）を既に保持しているので、Associated STAに対する上りリンクのパラメータ（電力またはMCS等）を適切に調整することができる。これに対して、AP１００は、Unassociated STAに関する情報を保持していないので、Unassociated STAに対する上りリンクのパラメータとして、誤り耐性の強いロバストな値を設定する。よって、図１７に示すように、AP１００は、Associated STAとUnassociated STAとでRA用RUを分けて、同一パケットでOFDMA多重させないようにスケジューリングすることで、例えば、異なるパラメータ（例えば、送信電力）が設定された端末２００間の干渉を低減することができる。また、AP１００は、Unassociated STAに対して、より誤り耐性が強いMCSを設定することで性能劣化を防止することができる。
【０１１４】
また、他の例として、AP１００は、変形User Infoを示す未使用AID毎の異なる端末制約条件として、端末２００の送信電力条件を指示してもよい（図示せず）。具体的には、AID=2008によって指示されるRA用RUは、要求される上り送信電力が端末２００の最小電力以上、つまり、要求通りの上り送信電力で送信可能な端末２００に限定したRA用RUとする。また、AID=2009によって指示されるRA用RUは、要求される上り送信電力が端末の最小電力以下、つまり、要求通りの上り送信電力で送信できない端末に限定したRA用RUとする。
【０１１５】
これにより、AP１００は、例えば、要求通りの上り送信電力で送信できない端末２００と、要求通りの上り送信電力で送信できる端末２００とが同一パケットでOFDMA多重させないようにスケジューリングすることで、端末２００間の干渉を低減することができる。また、AP１００は、要求通りの上り送信電力で送信できない端末２００に対して、より誤り耐性が強いMCSを設定することで性能劣化を防止することができる。
【０１１６】
また、他の例として、AP１００は、変形User Infoを示す未使用AID毎の異なる端末制約条件として、端末２００の送信データの制約条件を指示してもよい（図示せず）。具体的には、AID=2008の場合、User Info fieldにTrigger Dependent user Info情報を含めた変形User Infoであることが指示され、AID=2009の場合、User Info fieldにTrigger Dependent user Info情報が無い変形User Infoであることが指示されてもよい。
【０１１７】
User Info fieldにTrigger Dependent user Info情報が有る場合（つまり、複数のMPDUを連結したA-MPDU（Aggregate MAC protocol data unit）を用いる場合）には、Trigger Dependent user Info情報が無い場合と比較して、AP１００における処理時間が長くなることが想定される。よって、AP１００は、例えば、Trigger frameによる指示によって送信する上り信号に対する処理時間に応じて端末２００が使用するRUを分けるようにスケジューリングすることで、RUの利用効率を向上させることができる。
【０１１８】
なお、端末制約条件は、上述した端末２００の接続条件、送信電力条件および送信データの制約条件に限定されるものではない。
【０１１９】
このように、具体例２−２によれば、複数の未使用AIDと端末２００の制約条件とを関連付けて指示することにより、AP１００は、端末２００の状態に応じてRA用RUを適切にスケジューリングできる。
【０１２０】
なお、具体例２−２では、１つのTrigger frameによって指示されるRA用RUは、図１７に示すような連続するRUに限定されず、例えば、図１８に示すように、互いに離れた非連続領域のRUが指示されてもよい。
【０１２１】
以上、未使用AIDを用いて、User Info fieldのフォーマットを指示する方法の具体例１，２について説明した。
【０１２２】
なお、ここでは、変形User Infoによって指示されるパラメータの一例として、MCSについて説明したが、他のパラメータ（Coding Type、DCM、Target RSSI）についてもMCSと同様に指示される。
【０１２３】
［効果］
以上のように、本実施の形態によれば、AP１００のTrigger frame生成部１０４は、Trigger frameにおいて、１つ以上の連続するランダムアクセス用のリソースユニットを指示する変形User Infoに、Scheduled accessで使用されない未使用AIDを設定する。これにより、端末２００は、Trigger frameの各User Info fieldのAID12 subfieldに示されるAIDの値に基づいて、当該User Info fieldが変形User Infoであるか否かを判定することができる。
【０１２４】
よって、本実施の形態によれば、変形User Infoの指示のために、Trigger typeのReserved領域を使用（消費）する必要がない。つまり、将来の規格拡張の余地を残しつつ、変形User Infoを指示することができる。よって、本実施の形態によれば、Trigger frameにおいて適切に変形User Infoを設定することができる。
【０１２５】
また、本実施の形態によれば、１つのTrigger frameにおいて複数の変形User Info（または通常User Infoおよび少なくとも１つの変形User Info）を設定することにより、連続するRUに限らず、非連続なRUの割当が可能となり、かつ、User Info毎に異なるパラメータの指示が可能となる。これにより、例えば、Trigger frameで指示する複数のRA用RU毎に想定される性能に応じたパラメータを適用することで、スループットの向上を図ることができる。
【０１２６】
（実施の形態２）
例えば、図６Ａ等を用いて説明したように、変形User Infoが設定される場合、Trigger Dependent Common Info subfieldおよびTrigger Dependent User Info subfieldを削除することでTrigger frameサイズを削減することが検討されている。
【０１２７】
しかしながら、Trigger TypeがBasic Trigger（図３を参照）の場合（上り信号の形式を限定せず、通常データの送信を指示するTrigger frameの場合）、User Info fieldにTrigger Dependent User Info subfieldを含め、図５に示す上り送信データの制約情報（MPDUの連結数の制限または推奨するAC等）を通知することは、Scheduled access送信と同様にRA送信においても有用である。
【０１２８】
そこで、本実施の形態では、変形User Infoを送信する場合に上り送信データの制約情報を効率良く送信する方法について説明する。
【０１２９】
本実施の形態に係る無線通信システムは、AP（無線送信装置）３００および端末（無線受信装置）４００を備える。AP３００が端末４００に対して、RA送信を指示するTrigger frameを送信し、端末４００がTrigger frameを受信し、Trigger frameで指示されたリソースを用いてRAをAP３００へ送信する。
【０１３０】
[APの構成]
図１９は、本実施の形態に係るAP３００の構成を示すブロック図である。なお、図１９において、実施の形態１（図８）と同様の動作を行う構成には同一の符号を付し、その説明を省略する。具体的には、AP３００は、実施の形態１に係るAP１００（図８）に対して、Trigger依存情報制御部３０１が追加された点と、Trigger frame生成部３０２の動作が異なる。
【０１３１】
Trigger依存情報制御部３０１は、Trigger Typeに応じたTrigger依存情報（Trigger Dependent Common InfoまたはTrigger Dependent User Info）を決定し、Trigger依存情報（上り送信データの制約情報）、および、Trigger依存情報を配置するfield、subfieldを示す情報を、Trigger frame生成部３０２へ出力する。
【０１３２】
なお、Trigger frameにおけるTrigger依存情報の配置は、例えば、仕様等で規定され、送受信装置間（AP３００と端末４００との間）で認識が合っている。例えば、Trigger TypeがBasic Triggerであり、User Info fieldのフォーマットが変形User Infoの場合に、Trigger依存情報として上り送信データの制約情報がTrigger frameに含まれる。なお、Trigger依存情報を端末４００に適用する方法については後述する。
【０１３３】
Trigger frame生成部３０２は、実施の形態１のTrigger frame生成部１０４の動作に加え、Trigger依存情報制御部３０１の指示に従い、Trigger依存情報を、Trigger frameの所定のfield、subfieldに設定する。
【０１３４】
[端末の構成]
図２０は、本実施の形態に係る端末４００の構成を示すブロック図である。なお、図２０において、実施の形態１（図９）と同様の動作を行う構成には同一の符号を付し、その説明を省略する。具体的には、端末４００は、実施の形態１に係る端末２００（図９）に対して、Trigger依存情報取得部４０１が追加された点と、RA生成部４０２の動作が異なる。
【０１３５】
Trigger依存情報取得部４０１は、Trigger frame復号部２０４から出力されるTrigger frameから、Trigger依存情報（Trigger Dependent Common Info又はTrigger Dependent User Info）を取得し、取得したTrigger依存情報をRA生成部４０２へ出力する。
【０１３６】
RA生成部４０２は、RAリソース決定部２０６で決定したRA用RUおよびRA信号を生成するための制御情報、および、Trigger依存情報取得部４０１から出力されるTrigger依存情報に基づいて、端末IDおよび端末４００の送信情報（データまたは制御情報等）を含むRA信号を生成する。
【０１３７】
［AP３００および端末４００の動作］
次に、本実施の形態のAP３００および端末４００の動作について詳細に説明する。
【０１３８】
AP３００は、Trigger TypeがBasic Triggerの場合には、User Info fieldのフォーマットが変形User Infoの場合でも、Trigger依存情報として上り送信データの制約情報を指示する。
【０１３９】
以下、変形User Infoを含むTrigger frameにおける上り送信データの制約情報を指示する方法の具体例１〜３について詳細に説明する。
【０１４０】
＜具体例１＞
図６Ａに示すように変形User InfoにTrigger Dependent User Info subfieldを含まないTrigger frameにおいて、Trigger TypeがBasic Triggerである場合、端末４００がTrigger frameの各User Info fieldのサイズを識別するためには（各User Info fieldの境界を把握するためには）、各User Info fieldのAID12 subfieldを復号する必要があり、端末４００の受信処理が複雑化する。
【０１４１】
そこで、具体例１は、Trigger TypeがBasic Triggerの場合、変形User InfoにもTrigger Dependent User Info subfieldを含めて、Trigger依存情報として上りデータの制約情報が設定される。
【０１４２】
つまり、AP３００のTrigger frame生成部３０２は、Trigger frameのTrigger TypeがBasic Triggerである場合、変形User Infoに、上り信号の送信時の制約情報を設定する。
【０１４３】
具体的には、図２１の一例では、Trigger frameにおいて、Scheduled access用のRUを指示する通常User Info（AID=1および2）と、複数のRA用RUを指示する変形User Info（AID=0）とが混在している。また、図２１では、Common Info fieldのTrigger Type subfieldに、Basic Triggerが設定されている。
【０１４４】
この場合、通常User Infoでは、Trigger Dependent User Infoとして端末個別に上り送信データの制約情報が設定される。一方、変形User Infoでは、Trigger TypeとしてBasic Triggerが設定されている場合に限定して、Trigger Dependent User InfoとしてRA用RUに適用すべき上り送信データの制約情報が設定される。
【０１４５】
これにより、端末４００は、Trigger frameのCommon Infoに含まれるTrigger TypeがBasic Triggerである場合、全てのUser Info fieldがTrigger Dependent User Infoを含むサイズ（例えば、5 bytes）、つまり、同一サイズであると判断することができる。すなわち、端末４００は、User Info fieldのサイズを識別するために各User Info fieldのAID12 subfieldを復号する必要が無い。
【０１４６】
このように、具体例１によれば、Trigger TypeからUser Info fieldのフォーマットに依らず全てのUser Info fieldのサイズが一意に定まるので、端末４００の受信処理を簡易化できる。
【０１４７】
また、AP３００は、変形User InfoにおいてもTrigger Dependent user Info情報を通知することができるので、端末４００のRA送信においても、Scheduled access送信と同様に、データ送信時の制約情報を有効活用することができる。
【０１４８】
＜具体例２＞
具体例２では、Trigger frameのTrigger TypeがBasic Triggerである場合、当該Trigger frameの変形User Infoによって１つ以上の連続するRA用RUが指示される端末４００に対して、上り信号の送信時の制約が適用される。
【０１４９】
すなわち、具体例２では、図２２の一例に示すように、Trigger TypeがBasic Triggerの場合、具体例１（図２１）と異なり、変形User InfoにTrigger Dependent User Info subfieldを含めない。
【０１５０】
なお、端末４００が送信する上りデータに対する固定的な制約としては、例えば、図５に示すようなMPDU MU Spacing Factor及びTID Aggregation Limitを、MPDU数=1を想定した固定値（小さいサイズの単一のMPDU）に限定してもよい。これにより、AP３００の応答時間の遅延を防止することができる。なお、端末４００が送信する上りデータに固定的な制約は、MPDU数=1を想定した固定値に限定されず、他の値でもよい。
【０１５１】
これにより、具体例２では、Trigger TypeがBasic Triggerの場合に、実施の形態１と同様にして、変形User Infoで複数のRA用RUを指示することで、Trigger Frameのサイズを低減しつつ、変形User Infoで指示したRA用RUを使用したRA送信において制約を適用することができる。
【０１５２】
＜具体例３＞
具体例３では、Trigger TypeがBasic Triggerの場合、図２３に示すように、Common InfoにTrigger Dependent Common Info subfieldを含めて、OFDM多重される全ての端末４００で共通のパラメータとしてデータ送信時の制約情報が設定される。
【０１５３】
つまり、AP３００のTrigger frame生成部３０２は、Trigger frameのTrigger TypeがBasic Triggerである場合、Common Infoに、上り信号の送信時の制約情報を設定する。
【０１５４】
すなわち、具体例３では、User Info fieldのフォーマット（変形User Infoおよび通常User Info）に依らず、User Info fieldに上り信号の送信時の制約情報が設定されない。このため、図２３に示すように、Trigger TypeがBasic Triggerの場合でも、変形User Infoおよび通常User Infoの双方にTrigger Dependent User Info subfieldが含まれない。
【０１５５】
Common Infoに制約情報が設定されるため、OFDM多重する全ての端末４００でデータ送信の制約条件が共通になるものの、User InfoにTrigger Dependent User Info subfieldが含まれないので、Trigger Frameのサイズを低減することができる。
【０１５６】
また、具体例３では、User Info fieldのフォーマットに依らず、User InfoにTrigger Dependent user Info fieldが含まれないので、具体例１と同様に、Trigger Typeから全てのUser Info fieldのサイズが一意に定まる。よって、端末４００は、User Info fieldのサイズを識別するために各User Info fieldのAID12 subfieldを復号する必要が無くなるので、端末４００の受信処理を簡易化できる。
【０１５７】
以上、変形User Infoを含むTrigger frameにおいて上り送信データの制約情報を指示する方法の具体例１〜３について詳細に説明した。
【０１５８】
なお、図２１〜図２３では、１つのTrigger frameによって指示されるRA用RUが連続するRUである場合について示しているが、これに限定されず、実施の形態１（例えば、図１３、図１５、図１８）と同様、１つのTrigger frameによって互いに離れた非連続領域のRUが指示されてもよい（図示せず）。
【０１５９】
また、本実施の形態で説明した動作は、Trigger TypeがBasic Triggerである場合の動作に限定されない。例えば、RA送信が可能であって、Trigger Dependent User Infoを含めるTrigger Typeであれば、本実施の形態の動作を同様に適用でき、同様の効果を得ることができる。
【０１６０】
以上、本開示の各実施の形態について説明した。
【０１６１】
（他の実施の形態）
（１）図２４に示すように、１つのTrigger frameにおいて、上記実施の形態で示した変形User Info又は通常User InfoによるRA用RUの指示と、Scheduled access用RUの指示とを混在させてもよい。
【０１６２】
（２）上記実施の形態では、未使用AIDによって変形User Infoを指示する方法について説明したが、未使用AIDの代わりに、User Info fieldのReserved領域（１bit）を用いて変形User Infoを指示してもよい。例えば、Reserved領域の１bitによって、変形User Infoであるか、通常User Infoであるかを示すUser Info fieldのフォーマット指定に使用されてもよい。または、User Info fieldの他subfieldを用いて変形User Infoを指示してもよい。例えば、AID=0でRA用RUを指示し、RA用RUではDCMを禁止とする代わりに、DCMの1bitによって変形User Infoであるか、通常User Infoであるかを示すフォーマット指定に使されてもよい。
【０１６３】
（３）また、RA用RUの指示において、通常User Info (AID=0で指示)と、変形User Info(AID≠0の未使用AIDで指示)とのTrigger frame内の通知順序を予め定めてもよい。これにより、端末の受信処理を簡易化することができる。
【０１６４】
仕様では、端末の受信処理を簡易化するために、Trigger frame内のUser Infoについて、Scheduled access用RUが先に通知され、その後にRA用RUが通知されるという通知順が規定されている。本実施の形態のように、RA用RUを通常User Infoと変形User Infoとで混在させて通知する場合、これらのUser Infoについての通知順も規定することで、端末の受信処理を簡易化することができる。
【０１６５】
例えば、図２５に示すように、「Scheduled access用RUの通知（図２５ではAID=1, 2の端末を個別に指示するUser Info）」、「変形User InfoによるRA用RUの通知（図２５ではAID=2048で指示）」、「通常User InfoによるRA用RUの通知（図２５ではAID=0で指示）」の順に通知することを規定してもよい。このように通知順を規定することで、上記実施の形態（例えば、図１６を参照）のように指示したRA用RUが重複した場合に、変形User Infoの指示を通常User Infoの指示で上書きする場合等において端末の受信処理が簡易化できる。
【０１６６】
更に、１つのTrigger frameに含まれる複数の変形User Infoについての通知順として、指示する連続RU数が多い変形User Infoの順に通知することを規定してもよい。このように通知順を規定することで、上記実施の形態（例えば、図１１を参照）のように、指示したRUが重複した場合に、連続RU数が多い変形User Infoの指示を連続RU数が少ない変形User Infoの指示で上書きする場合等において端末の受信処理が簡易化できる。
【０１６７】
（４）本開示はソフトウェア、ハードウェア、又は、ハードウェアと連携したソフトウェアで実現することが可能である。上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１６８】
本開示の通信装置は、上り信号の送信を指示するトリガー信号を生成し、トリガー信号が、１つ以上の連続するランダムアクセス用のリソースユニットを指示する第１の端末情報フィールドを有する場合は、第１の端末情報フィールド中の端末ＩＤサブフィールドに、端末ＩＤとしては使用されない未使用ＩＤを設定するトリガー信号生成部と、生成されたトリガー信号を送信する送信部と、を具備する。
【０１６９】
本開示の通信装置において、ランダムアクセス用のリソースユニットを指示する場合に、端末ＩＤサブフィールドに設定される未使用ＩＤは１種類である。
【０１７０】
本開示の通信装置において、トリガー信号が、複数の第１の端末情報フィールドを含む場合、複数の第１の端末情報フィールドの各々によって指示される１つ以上の連続するランダムアクセス用のリソースユニットが重複する場合、当該重複するリソースユニットでは、複数の第１の端末情報フィールドのうち、指示されるリソースユニットの数が少ない端末情報フィールドの指示が優先される。
【０１７１】
本開示の通信装置において、ランダムアクセス用のリソースユニットを指示する場合に、端末ＩＤサブフィールドに設定される未使用ＩＤは複数種類ある。
【０１７２】
本開示の通信装置において、トリガー信号生成部は、複数種類の未使用ＩＤのうち、第１の端末情報フィールド中の端末ＩＤサブフィールドに第１の未使用ＩＤを設定し、１つのランダムアクセス用のリソースユニットが指示される第２の端末情報フィールド中の端末ＩＤサブフィールドに第２の未使用ＩＤを設定し、第１の端末情報フィールドで指示されるリソースユニットと、第２の端末情報フィールドで指示されるリソースユニットとが重複する場合、当該重複するリソースユニットでは、第２の端末情報フィールドの指示が優先される。
【０１７３】
本開示の通信装置において、複数種類の未使用ＩＤの各々には、ランダムアクセス信号を送信する端末の制約条件がそれぞれ対応付けられる。
【０１７４】
本開示の通信装置において、トリガー信号が上り信号の形式を限定しない種類である場合、トリガー信号生成部は、第１の端末情報フィールドに、上り信号の送信時の制約を示す情報を設定する。
【０１７５】
本開示の通信装置において、トリガー信号が上り信号の形式を限定しない種類である場合、当該トリガー信号の第１の端末情報フィールドによって１つ以上の連続するランダムアクセス用のリソースユニットが指示される端末に対して、上り信号の送信時の制約が適用される。
【０１７６】
本開示の通信装置において、トリガー信号が上り信号の形式を限定しない種類である場合、トリガー信号生成部は、上り信号の送信時の制約を示す情報を、第１の端末情報フィールドに設定せずに、端末共通の情報を含める共通情報フィールドに設定する。
【０１７７】
本開示の通信方法は、上り信号の送信を指示するトリガー信号を生成し、トリガー信号が、１つ以上の連続するランダムアクセス用のリソースユニットを指示する第１の端末情報フィールドを有する場合は、第１の端末情報フィールド中の端末ＩＤサブフィールドに、端末ＩＤとしては使用されない未使用ＩＤを設定し、生成されたトリガー信号を送信する。
【産業上の利用可能性】
【０１７８】
本開示の一態様は、冗長なフィールドの有効利用あるいは削減を図ることができるものとして有用である。
【符号の説明】
【０１７９】
１００，３００  AP
１０１  RAリソース制御部
１０２  User Info制御部
１０３，２０５  AID制御部
１０４，３０２  Trigger frame生成部
１０５，２０８  送信信号変調部
１０６，２０２  無線送受信部
１０７，２０１  アンテナ
１０８，２０３  受信信号復調部
１０９  品質推定部
２００，４００  端末
２０４  Trigger frame復号部
２０６  RAリソース決定部
２０７，４０２  RA生成部
３０１  Trigger依存情報制御部
４０１  Trigger依存情報取得部
【図１】
2018155160.tif 000003
【図２】
2018155160.tif 000004
【図３】
2018155160.tif 000005
【図４】
2018155160.tif 000006
【図５】
2018155160.tif 000007
【図６Ａ】
2018155160.tif 000008
【図６Ｂ】
2018155160.tif 000009
【図７】
2018155160.tif 000010
【図８】
2018155160.tif 000011
【図９】
2018155160.tif 000012
【図１０】
2018155160.tif 000013
【図１１】
2018155160.tif 000014
【図１２】
2018155160.tif 000015
【図１３】
2018155160.tif 000016
【図１４】
2018155160.tif 000017
【図１５】
2018155160.tif 000018
【図１６】
2018155160.tif 000019
【図１７】
2018155160.tif 000020
【図１８】
2018155160.tif 000021
【図１９】
2018155160.tif 000022
【図２０】
2018155160.tif 000023
【図２１】
2018155160.tif 000024
【図２２】
2018155160.tif 000025
【図２３】
2018155160.tif 000026
【図２４】
2018155160.tif 000027
【図２５】
2018155160.tif 000028
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
端末と通信する通信装置であって、
上り信号の送信を指示するトリガーフレームを生成し、前記トリガーフレームは、端末ＩＤサブフィールドとリソースユニット割当情報サブフィールドとを含むユーザ情報フィールドを含み、前記端末ＩＤサブフィールドに、端末ＩＤとしては使用されない未使用ＩＤがランダムアクセス用として設定される場合は、前記リソースユニット割当情報サブフィールドは、１つ以上の連続するランダムアクセス（RA）用リソースユニットの開始リソースユニット位置を指示し、前記ユーザ情報フィールドは、前記連続するRA用リソースユニットの数を示すRA用リソースユニット情報サブフィールドをさらに含む、トリガーフレーム生成部と、
前記生成されたトリガーフレームを送信する送信部と、
を具備する通信装置。
【請求項２】
前記トリガーフレームは、前記端末ＩＤサブフィールドに第１の未使用ＩＤが設定された第１のユーザ情報フィールドと、前記端末ＩＤサブフィールドに第２の未使用ＩＤが設定された第２のユーザ情報フィールドとを含み、前記第１のユーザ情報フィールドにより割り当てられる第１の連続するRA用リソースユニットと、前記第２のユーザ情報フィールドにより割り当てられる第２の連続するRA用リソースユニットとは重複しない、
請求項１に記載の通信装置。
【請求項３】
前記トリガーフレームが、前記端末ＩＤサブフィールドに前記未使用ＩＤがランダムアクセス用として設定された第１のユーザ情報フィールドと、１つのリソースユニットを指示する第２のユーザ情報フィールドとを有する場合であって、前記第２のユーザ情報フィールドによって指示される前記１つのリソースユニットが、前記連続するRA用リソースユニットに含まれる場合、前記１つのリソースユニットは、前記RA用リソースユニットから除外される、
請求項１に記載の通信装置。
【請求項４】
前記トリガーフレームは、前記端末ＩＤサブフィールドに第１の未使用ＩＤが設定された第１のユーザ情報フィールドと、前記端末ＩＤサブフィールドに第２の未使用ＩＤが設定された第２のユーザ情報フィールドとを含み、前記第１のユーザ情報フィールドにより割り当てられる第１の連続するRA用リソースユニットと、前記第２のユーザ情報フィールドにより割り当てられる第２の連続するRA用リソースユニットとでは、符号化タイプ及びMCS（Modulation and Coding Scheme）が個別に設定される、
請求項１に記載の通信装置。
【請求項５】
前記トリガーフレーム生成部は、前記通信装置とアソシエートされた端末に対しては、前記端末ＩＤサブフィールドに第１の未使用ＩＤを設定し、前記通信装置とアソシエートされていない端末に対しては、前記端末ＩＤサブフィールドに第２の未使用ＩＤを設定する、
請求項１に記載の通信装置。
【請求項６】
第１の未使用ＩＤ及び第２の未使用ＩＤの各々には、ランダムアクセス信号を送信する端末の制約条件がそれぞれ対応付けられる、
請求項１に記載の通信装置。
【請求項７】
前記トリガーフレーム生成部は、前記ユーザ情報フィールドに、前記上り信号の送信時の制約を示す情報を設定する、
請求項１に記載の通信装置。
【請求項８】
前記ユーザ情報フィールドによって前記連続するRA用リソースユニットが指示される端末に対して、前記上り信号の送信時の制約が適用される、
請求項７に記載の通信装置。
【請求項９】
前記トリガーフレーム生成部は、前記上り信号の送信時の制約を示す情報を、前記ユーザ情報フィールドに設定せずに、端末共通の情報を含める共通情報フィールドに設定する、
請求項１に記載の通信装置。
【請求項１０】
端末と通信する通信装置の通信方法であって、
上り信号の送信を指示するトリガーフレームを生成し、前記トリガーフレームは、端末ＩＤサブフィールドとリソースユニット割当情報サブフィールドとを含むユーザ情報フィールドを含み、前記端末ＩＤサブフィールドに、端末ＩＤとしては使用されない未使用ＩＤがランダムアクセス用として設定される場合は、前記リソースユニット割当情報サブフィールドは、１つ以上の連続するランダムアクセス（RA）用リソースユニットの開始リソースユニット位置を指示し、前記ユーザ情報フィールドは、前記連続するRA用リソースユニットの数を示すRA用リソースユニット情報サブフィールドをさらに含み、
前記生成されたトリガーフレームを送信する、
通信方法。
【請求項１１】
前記トリガーフレームは、前記端末ＩＤサブフィールドに第１の未使用ＩＤが設定された第１のユーザ情報フィールドと、前記端末ＩＤサブフィールドに第２の未使用ＩＤが設定された第２のユーザ情報フィールドとを含み、前記第１のユーザ情報フィールドにより割り当てられる第１の連続するRA用リソースユニットと、前記第２のユーザ情報フィールドにより割り当てられる第２の連続するRA用リソースユニットとは重複しない、
請求項１０に記載の通信方法。
【請求項１２】
前記トリガーフレームが、前記端末ＩＤサブフィールドに前記未使用ＩＤがランダムアクセス用として設定された第１のユーザ情報フィールドと、１つのリソースユニットを指示する第２のユーザ情報フィールドとを有する場合であって、前記第２のユーザ情報フィールドによって指示される前記１つのリソースユニットが、前記連続するRA用リソースユニットに含まれる場合、前記１つのリソースユニットは、前記RA用リソースユニットから除外される、
請求項１０に記載の通信方法。
【請求項１３】
前記トリガーフレームは、前記端末ＩＤサブフィールドに第１の未使用ＩＤが設定された第１のユーザ情報フィールドと、前記端末ＩＤサブフィールドに第２の未使用ＩＤが設定された第２のユーザ情報フィールドとを含み、前記第１のユーザ情報フィールドにより割り当てられる第１の連続するRA用リソースユニットと、前記第２のユーザ情報フィールドにより割り当てられる第２の連続するRA用リソースユニットとでは、符号化タイプ及びMCS（Modulation and Coding Scheme）が個別に設定される、
請求項１０に記載の通信方法。
【請求項１４】
前記通信装置とアソシエートされた端末に対しては、前記端末ＩＤサブフィールドに第１の未使用ＩＤを設定し、前記通信装置とアソシエートされていない端末に対しては、前記端末ＩＤサブフィールドに第２の未使用ＩＤを設定する、
請求項１０に記載の通信方法。
【請求項１５】
第１の未使用ＩＤ及び第２の未使用ＩＤの各々には、ランダムアクセス信号を送信する端末の制約条件がそれぞれ対応付けられる、
請求項１０に記載の通信方法。
【請求項１６】
前記ユーザ情報フィールドに、前記上り信号の送信時の制約を示す情報を設定する、
請求項１０に記載の通信方法。
【請求項１７】
前記ユーザ情報フィールドによって前記連続するRA用リソースユニットが指示される端末に対して、前記上り信号の送信時の制約が適用される、
請求項１６に記載の通信方法。
【請求項１８】
前記上り信号の送信時の制約を示す情報を、前記ユーザ情報フィールドに設定せずに、端末共通の情報を含める共通情報フィールドに設定する、
請求項１０に記載の通信方法。
【請求項１９】
端末と通信する通信装置のための集積回路であって、
上り信号の送信を指示するトリガーフレームを生成し、前記トリガーフレームは、端末ＩＤサブフィールドとリソースユニット割当情報サブフィールドとを含むユーザ情報フィールドを含み、前記端末ＩＤサブフィールドに、端末ＩＤとしては使用されない未使用ＩＤがランダムアクセス用として設定される場合は、前記リソースユニット割当情報サブフィールドは、１つ以上の連続するランダムアクセス（RA）用リソースユニットの開始リソースユニット位置を指示し、前記ユーザ情報フィールドは、前記連続するRA用リソースユニットの数を示すRA用リソースユニット情報サブフィールドをさらに含む、処理と、
前記生成されたトリガーフレームを送信する処理と、
を制御する集積回路。
【手続補正３】
【補正対象書類名】明細書
【補正対象項目名】０００１
【補正方法】変更
【補正の内容】
【０００１】
本開示は、通信装置、通信方法および集積回路に関する。
【手続補正４】
【補正対象書類名】明細書
【補正対象項目名】００１０
【補正方法】変更
【補正の内容】
【００１０】
本開示の一態様は、Trigger frameにおいて適切に変形User Infoを設定することができる通信装置、通信方法および集積回路の提供に資する。
【手続補正５】
【補正対象書類名】明細書
【補正対象項目名】００１１
【補正方法】変更
【補正の内容】
【００１１】
本開示の一態様に係る通信装置は、端末と通信する通信装置であって、上り信号の送信を指示するトリガーフレームを生成し、前記トリガーフレームは、端末ＩＤサブフィールドとリソースユニット割当情報サブフィールドとを含むユーザ情報フィールドを含み、前記端末ＩＤサブフィールドに、端末ＩＤとしては使用されない未使用ＩＤがランダムアクセス用として設定される場合は、前記リソースユニット割当情報サブフィールドは、１つ以上の連続するランダムアクセス（RA）用リソースユニットの開始リソースユニット位置を指示し、前記ユーザ情報フィールドは、前記連続するRA用リソースユニットの数を示すRA用リソースユニット情報サブフィールドをさらに含む、トリガーフレーム生成部と、前記生成されたトリガーフレームを送信する送信部と、を具備する。
【国際調査報告】
2018155160.tif 000029
2018155160.tif 000030
2018155160.tif 000031
2018155160.tif 000032